(57)【特許請求の範囲】
【請求項１】
上部が開口された箱状の本体ケースと、トッププレート及び該トッププレートを支持する支持枠からなり、前記本体ケースの上部に設置される上ケースとを有し、
該上ケースの支持枠の前面側に形成された傾斜面に操作部を設け、該操作部を、固定接点を有するフレキシブル基板及び可動接点を有する操作面からなる操作接点部で構成し、前記支持枠と操作接点部との間に、第１の絶縁層、導電層及び第２の絶縁層を配置し、前記導電層を本体ケース内のアースラインに接続したことを特徴とする加熱調理器。
【請求項２】
前記支持枠と操作接点部との間に、熱伝導率の低い材料からなる熱絶縁板を配置したことを特徴とする請求項１記載の加熱調理器。
【請求項３】
前記支持枠の傾斜面に凹部を設け、該凹部内に熱絶縁板又は第１の絶縁層、導電層及び第２の絶縁層を設置し、これらの上に操作接点部を配置したことを特徴とする請求項１又は２記載の加熱調理器。
【発明の詳細な説明】
【０００１】
【発明の属する技術分野】
本発明は、加熱調理器に係り、さらに詳しくは、主として流し台等に組み込んで使用される加熱調理器の操作部の構成に関すものである。
【０００２】
【従来の技術】
図９及び図１０は特開平１１−３３９９４５号公報に記載された組み式加熱調理器を流し台に組み込んだ状態を示す斜視図及びその縦断面図である。
図において、１は外周にフランジ２を有する箱状の本体ケースで、内部にはグリラー、電源部、制御部、冷却用送風機等（図示せず）が収容されており、開口部４１から流し台４０内に挿入され、フランジ２を開口部４１の周縁に係止させてセットされている。
【０００３】
６は被調理物が入れられた調理容器が載置されるトッププレート７が取付けられた支持枠で、前面側に形成された傾斜面６ａには操作部８が設けられており、トッププレート７の下には誘導加熱コイル、抵抗発熱コイルの如き発熱体（図示せず）が設けられている。この支持枠６、トッププレート７、発熱体等からなる上ケース５は、本体ケース１の上に設置され、ねじ等により固定されている。
【０００４】
９は操作部８の下方において、本体ケース１のフランジ２上に設けたホルダ１０の上に設置された操作基板で、これに設けた操作ボタン１１が操作部８上から操作できるようなっている。
【０００５】
【発明が解決しようとする課題】
上記のような従来の加熱調理器の操作部８は、操作基板９をホルダ１０を介して本体ケース１のフランジ２上に設置する構造となっいるため、操作部８を形成する支持枠６が厚く（高く）なり、流し台４０の天板上に露出する部分が高くなってしまい、調理容器の載置や移動が面倒で、その上調理がやりにくく、意匠上も好ましくないという問題があった。
【０００６】
本発明は、上記の課題を解決するためになされたもので、操作部を含むトッププレートの支持枠を薄く（低く）形成して、上ケースが流し台の天板上に露出する部分を低く、かつ操作部を大きく形成することにより、使い勝手がよく、意匠的に優れた加熱調理器を得ることを目的としたものである。
【０００７】
【課題を解決するための手段】
（１）本発明に係る加熱調理器は、上部が開口された箱状の本体ケースと、トッププレート及び該トッププレートを支持する支持枠からなり、前記本体ケースの上部に設置される上ケースとを有し、該上ケースの支持枠の前面側に形成された傾斜面に操作部を設け、該操作部を、固定接点を有するフレキシブル基板及び可動接点を有する操作面からなる操作接点部で構成し、前記支持枠と操作接点部との間に、第１の絶縁層、導電層及び第２の絶縁層を配置し、前記導電層を本体ケース内のアースラインに接続したものである。
【０００８】
（２）上記（１）の加熱調理器の支持枠と操作接点部との間に、熱伝導率の低い材料からなる熱絶縁板を配置した。
【００１０】
（３）上記（１）又は（２）の加熱調理器の支持枠の傾斜面に凹部を設け、該凹部内に熱絶縁板又は第１の絶縁層、導電層及び第２の絶縁層を設置し、これらの上に操作接点部を配置した。
【００１１】
【発明の実施の形態】
［実施の形態１］
図１は本発明の実施の形態１に係る加熱調理器の要部の断面図、図２は図１の外観斜視図である。なお、従来技術と同じ部分にはこれと同じ符号を付し、説明を省略する。
図において、６ａはトッププレート７の支持枠６の前面側に形成した傾斜面で、この傾斜面６ａには操作部１５が設けられている。１６は傾斜面６ａに設けられた凹部で、この凹部１６の下方（低い方）の底部には、図３に示すように、水抜き穴を兼ねた信号線の引出し穴１７が設けられている。１８は凹部１６の底部に配設された合成樹脂の如く熱伝導率の低い電気絶縁材料からなる熱絶縁板である。
【００１２】
２０は操作接点部で、図４に示すように、表面に導電パターン２２及びこの導電パターン２２に接続された固定接点２３が設けられたフレキシブル基板２１と、断面円弧状の凸部２５を有し、凸部２５の下面にフレキシブル基板２１の固定接点２３に対応して設けられた可動接点２６、及びこの可動接点２６に接続された導電パターン２７とからなる弾性を有するシート状の操作面２４とによって形成されている。なお、２８は導電パターン２２，２７に接続された信号線である。
【００１３】
上記のように構成した操作接点部２０は、凹部１６内に挿入されて熱絶縁板１８の上に設置される。このとき、操作面２４は支持枠６の傾斜面６ａの上面とほぼ同一平面上に位置し、凸部２５が傾斜面６ａから僅かに突出する。また、導電パターン２２，２７に接続された信号線２８は、凹部１６の底部に設けた引出し穴１７から引き出され、本体ケース１に設けた制御部に接続される。
そして、使用者が操作面２４の所望の凸部２５を圧下すると、可動接点２６が固定接点２３に接続され、その信号は信号線により制御部へ送られる。指を離せば元の状態になり、両接点２３，２６は開放される。
【００１４】
上記のように構成した本実施の形態によれば、操作部１５を、固定接点２３を有するフレキシブル基板２１と、可動接点２６を有する操作面２４とからなる薄い操作接点部２０で構成したので、従来技術のようにホルダ１０や操作基板９を設ける必要がないため、支持枠６、したがって上ケース５を低く、かつ傾斜面６ａを大きく形成することができる。このため、調理器具の載置や移動が容易で使い勝手がよく、その上意匠性を高めることができる。
【００１５】
また、操作部１５の凹部１６内に熱絶縁板１８を配置したので、トッププレート７上の被調理物からの熱が支持枠６を介して伝達されても操作接点部２０にはほとんど伝わらないため、操作部１５の温度が上昇して電気部品等が劣化したり故障したりするのを防止することができる。
さらに、操作部１５の上面には操作接点部２０の凸部２５が僅かに突出しているため、若し支持枠６上に水等が流れても、この水等は凸部２５の両側に分流して傾斜面６ａ上を流下して流し台４０上に落下するので、操作部１５内に流入することがなく、万一操作部１５内に水等が浸入しても、凹部１６の最低部に設けた水抜き穴を兼ねた引き出し穴１７から流出し、凹部１６内に溜ることはない。
【００１６】
［実施の形態２］
図５、図６は本発明の実施の形態２に係る加熱調理器の要部の断面図である。図５は、トッププレート７の支持枠６の傾斜面６ａに、操作部１５の形状に対応し、これより大きい開口部６ｂを設け、この開口部６ｂの全内周縁に、例えば耐熱合成樹脂のように熱伝導率が低い電気絶縁材料からなり、断面逆Ｔ字状で枠状の絶縁部材３０を取付けて、その内側に金属材料からなり、底部の下方側に引き出し穴１７ａが設けられた断面ほぼ凹字状の凹状部材１６ａを、絶縁部材３０により支持枠６から絶縁して取付けたものである。そして、この凹状部材１６ａの底部に前述の熱絶縁板１８を配設し、その上に操作接点部２０を配設したものである。
【００１７】
図６は、支持枠６の傾斜面６ａに開口部６ｂを設け、この開口部６ｂに、例えば耐熱合成樹脂のように熱伝導率が低い電気絶縁材料からなり、底部の下方側に引き出し穴１７ａが設けられた断面凹字状の凹状部材３１を取付けて、この凹状部材３１内に操作接点部２０を配設したものである。
本実施の形態においても、実施の形態１の場合とほぼ同様の効果を得ることができる。
【００１８】
［実施の形態３］
ところで、本発明は、接点２３，２６、導電パターン２２，２７、信号線２８等を有する操作接点部２０を、トッププレート７を支持する支持枠６に取付けているため、支持枠６と操作接点部２０との間に、実施の形態１で説明したように絶縁材料（熱絶縁板）１８を設けることが必要である。しかしながら、支持枠６を薄く形成すれば、絶縁材料１８も薄くする必要があり、このため、発熱体に電磁誘導コイルなどのノイズが発生し易い負荷を使用した場合は、操作接点部２０が金属製の支持枠６に乗ったノイズの影響を受けて誤動作をおこすおそれがある。
【００１９】
本実施の形態は、ノイズの影響を受けることのない操作部１５を備えた加熱調理器に関するものである。以下、図７及びその一部を拡大した図８により本実施の形態を説明する。なお、実施の形態１と同じ部分にはこれと同じ符号を付し、説明を省略する。
【００２０】
図７、図８に示すように、トッププレート７の支持枠６の前面側には傾斜面６ａが形成されており、この傾斜面６ａに操作部１５が設けられている。
操作部１５において、３２は傾斜面６ａに設けた凹部１６の底部に配置した例えばポリエチレンフィルムからなる第１の絶縁層、３４は例えば銅箔からなる導電層、３３は例えばポリエチレンフィルムからなる第２の絶縁層で、導電層３４は、第１，第２の絶縁層３２，３３の間に挾持されて支持枠６から絶縁されている。そして、操作接点部２０は信号線２８により本体ケース１内の制御部に接続され、導電層３４はアース線２９により本体ケース１内の電源部の二次側アースラインに接続されている。
【００２１】
本実施の形態は上記のように構成し、上ケース５の支持枠６に乗ったノイズを導電層３４を介してアースラインに落すようにしたので、操作部１５へのノイズの影響を防止することができる。
この場合、例えば第１，第２の絶縁層３２，３３が劣化により亀裂が生じるなどして、支持枠６と操作接点部２０との間の絶縁が保てなくなったような場合、使用者が高電圧に触れないようにするために、一次側と二次側が完全に絶縁された絶縁トランスの二次側を操作接点部２０の専用電源としてもよい。この場合、前述の導電層３４に設けたアース線２９をこの専用電源のアースラインに接続してもよい。
【００２２】
【発明の効果】
本発明に係る加熱調理器は、上ケースの支持枠の前面側に形成された傾斜面に操作部を設け、この操作部を、固定接点を有するフレキシブル基板及び可動接点を有する操作面からなる操作接点部で構成したので、支持枠を薄くすることができ、また操作部を大きく形成することができる。
【図面の簡単な説明】
【図１】  本発明の実施の形態１に係る加熱調理器の要部の断面図である。
【図２】  図１の加熱調理器を流し台等に組み込んだ状態を示す斜視図である。
【図３】  図１の凹部の斜視図である。
【図４】  図１の操作接点部の説明図である。
【図５】  本発明の実施の形態２に係る加熱調理器の操作部の断面図である。
【図６】  本発明の実施の形態２に係る加熱調理器の操作部の他の例の断面図である。
【図７】  本発明の実施の形態３に係る加熱調理器の要部の断面図である。
【図８】  図７の一部拡大図である。
【図９】  従来の加熱調理器の一例の流し台に組み込んだ状態を示す斜視図である。
【図１０】  図９の要部の断面図である。
【符号の説明】
１  本体ケース、２  フランジ、５  上ケース、６  トッププレートの支持枠、６ａ  傾斜面、７  トッププレート、１５  操作部、１６  凹部、１８  熱絶縁板、２０  操作接点部、２１  フレキシブル基板、２３  固定接点、２４  操作面、２６  可動接点、２８  信号線、２９  アース線、３２  第１の絶縁層、３３  第２の絶縁層、３４  導電層。
【図１】
0003726236.tif 000002
【図２】
0003726236.tif 000003
【図３】
0003726236.tif 000004
【図４】
0003726236.tif 000005
【図５】
0003726236.tif 000006
【図６】
0003726236.tif 000007
【図７】
0003726236.tif 000008
【図８】
0003726236.tif 000009
【図９】
0003726236.tif 000010
【図１０】
0003726236.tif 000011